(57)【要約】【課題】勾配を備えた道路に横断して設置されるコンクリート製の横断溝であって、設置の手間と時間を軽減させることができるようにする。【解決手段】水平に施工された下地の基礎上に設置される横断溝１２はプレキャストコンクリート製で、側壁１２ａ、１２ｂを連結する底壁１２ｃよりなり、両側壁１２ａ、１２ｂはそれぞれ天端が水平面をなし、道路の上り側の天端が下り側の天端より高く、高低差を有している。側壁１２ａ、１２ｂの天端にそれぞれ取付けられる受枠１１ａ、１１ｂはいずれも鋼製で、輪郭が凸形を半割にして対向する内側にそれぞれ道路勾配に対応して傾斜する段１２ａ、１２ｂを備え、内部が空洞をなして前記段にグレーチングが設置される。【選択図】図４
2015055142.tif 000002
【特許請求の範囲】
【請求項１】
対向する側壁と両側壁を連結する底壁よりなり、上り勾配又は下り勾配の道路を横断し、水平ないし略水平な下地の基礎上に設置されるコンクリート製の横断溝であって、側壁天端に道路勾配に相当する勾配の天端を備えた受枠を取付けてなる横断溝。
【請求項２】
受枠は鋼製で内部が空洞であり、かつ内部に自動車荷重に耐えられる補強手段を備えている請求項１記載の横断溝。
【請求項３】
対向する両側壁の天端は、道路の上り側の天端が下り側の天端より高くなる高低差を有している請求項１又は２記載の横断溝。
【請求項４】
側壁天端は水平面である請求項１ないし３のいずれかの請求項に記載の横断溝。
【発明の詳細な説明】
【技術分野】
【０００１】
本発明は、坂道のような勾配を備えた道路に横断して設置されるコンクリート製の横断溝に関する。
【背景技術】
【０００２】
勾配を備えた道路にコンクリート製の横断溝を設置する場合、従来はプレキャストコンクリート製の横断溝を図１に示すように設置していたが、横断溝１で段を生ずるため、車両の走行時の衝撃により横断溝１の側壁天端にひびや割れを生ずることがあった。横断溝１で段を生じないようにするために、図２に示すように道路勾配に相当する勾配を備えた下地の基礎２を施工したのち、横断溝１を基礎上に設置することも行われているが、道路勾配に相当する勾配を備えた下地の基礎２を施工するのに手間と時間がかかっていた。
【０００３】
図３に示すように、側壁天端に勾配を設けたプレキャストコンクリート製の横断溝７も提案されているが（特許文献１）、勾配の異なる道路に適用できるようにするには、天端の勾配が異なる多くの横断溝を製作し、保管しておかねばならない。
【先行技術文献】
【特許文献】
【０００４】
【特許文献１】意匠登録第１３５５１５２号
【発明の概要】
【発明が解決しようとする課題】
【０００５】
本発明は、設置の手間と時間を軽減させることができるコンクリート製の横断溝を提供することを目的とする。
【課題を解決するための手段】
【０００６】
請求項１に係る発明は、対向する側壁と両側壁を連結する底壁よりなり、上り勾配又は下り勾配の道路を横断し、水平ないし略水平な下地の基礎上に設置されるコンクリート製の横断溝であって、側壁天端に道路勾配に相当する勾配の天端を備えた受枠を取付けてなるものであり、
請求項２に係る発明は、請求項１に係る発明において、受枠は鋼製で内部が空洞であり、かつ内部に自動車荷重に耐えられる補強手段を備えていることを特徴とする。
【０００７】
請求項３に係る発明は、請求項１又は２に係る発明において、対向する両側壁の天端は、道路の上り側の天端が下り側の天端より高くなる高低差を有していることを特徴とする。
【０００８】
請求項４に係る発明は、請求項１ないし３に係る発明において、側壁天端は水平面であることを特徴とする。
【発明の効果】
【０００９】
請求項１に係る発明によると、横断溝に共通のプレキャストコンクリート製横断溝を用い、側壁天端に受枠を取付けることで種々の道路勾配を有する道路に適用可能であり、横断溝が設置される下地の基礎に勾配を付ける必要がないため、下地の施工が従前と同様、短時間で容易に行え、横断溝を応急的に或いは簡易に設置するのに好適である。
【００１０】
前記受枠はコンクリート製であってもよいが、請求項２に係る発明のように鋼製にして内部を空洞にし、自動車荷重に耐えられるような補強手段を設ければ、受枠の軽量化が可能となり、使用上の問題もない。
【００１１】
請求項３に係る発明によると、道路の上り側での受枠の高さを抑えて低くすることができるため、必要な強度が容易に得られ、受枠を低コストで製作することができる。
【００１２】
横断溝の側壁天端は傾斜していてもよいが、請求項４に係る発明のように水平にする方が製作及び受枠の取付けが容易となる。
【図面の簡単な説明】
【００１３】
【図１】横断溝が施工された従来例の断面図。
【図２】横断溝が従来の施工例を示す断面図。
【図３】横断溝の従来例の断面図。
【図４】本発明に係る横断溝の施工例を示す断面図。
【図５】受枠部分の一部の拡大側面図。
【発明を実施するための形態】
【００１４】
以下、本発明の実施形態の横断溝について図面により説明する。
図４は、勾配を備えた道路に施工され、受枠１１ａ、１１ｂを左右に備えた横断溝１２の断面を示すものであり、図５は受枠部分の側面を示すもので、横断溝１２はプレキャストコンクリート製で、側壁１２ａ、１２ｂを連結する底壁１２ｃよりなり、両側壁１２ａ、１２ｂはそれぞれ天端が水平面をなし、道路の上り方向側の天端が下り方向側の天端より高く、高低差を有している。図示する横断溝１２は、底壁１２ｃが側壁１２ａ、１２ｂの全長にわたって形成されているが、底壁１２ｃは横断溝１２の長手方向に部分的に形成されていてもよい。また横断溝１２は底壁１２ｃを設けないで、両側壁１２ａ、１２ｂを上下方向の中間部又は上端において連結部で連結した形態をなしていてもよい。
【００１５】
受枠１１ａ、１１ｂはいずれも鋼製で、それぞれ天端が道路勾配に相当する勾配となっており、輪郭が凸形を半割にして対向する内側にそれぞれ道路勾配に対応して傾斜する段１１ｄ、１１ｅを備え、内部が空洞である形態をなしており、路面に続く天端の端部には、受枠天端の強度を増すため、下向きの屈折部１１ｆが形成され、受枠内部には、図５に示すように道路の横断方向に沿って適当間隔で補強手段を構成するリブ１５を備えている。前記受枠１１ａ、１１ｂは、側壁天端に載置し、ボルトにより側壁天端に直接固定してもよいが、路面に合せて側壁天端との間隔を変え、高さ調整できるようにしておくのが望ましい。そのためには例えば、底部１１ｃと側壁天端との間に嵩上げ材ないしスペーサを介在させてもよいし、図４に示すように底部下面にナット１４を固着し、該ナット１４に捩じ込んだボルト１３を側壁天端に当てることにより受枠１１ａ、１１ｂを支持し、ボルト１３の捩じ込み量、すなわちナット１４からの突出量を変えることにより受枠１１ａ、１１ｂの高さ調整をするようにしてもよい。高さ調整後、受枠１１ａ、１１ｂの底部１１ｃと側壁天端との間にモルタル１９を充填する。これにより受枠１１ａ、１１ｂが固定される。図中、１６は溝蓋として受枠１１ａ、１１ｂ間に設置されるグレーチングを示す。
【００１６】
勾配を備えた道路に横断溝１２を設置する際には、先ず道路を横断する溝を掘削する。そして下地の基礎１７を常法のように水平ないしほぼ水平に施工したのち（図４）、横断溝１２を設置し、ついて各側壁１２ａ、１２ｂの上端面に受枠１１ａ、１１ｂをそれぞれ取付ける。この受枠１１ａ、１１ｂは横断溝１２に予め取付けておいてもよい。
【００１７】
受枠取付後、或いは受枠１１ａ、１１ｂを備えた横断溝１２を設置後、横断溝外側の溝に土砂を埋め戻す。土砂１８は受枠内まで充填されるように施工するのが望ましく、受枠内に充填された土砂１８は前記リブ１５と共に、受枠１１ａ、１１ｂを補強する機能を果す。土砂に代えて受枠内にコンクリートを充填してもよい。したがってこの場合、土砂或いはコンクリートはリブ１５と共に補強手段を構成する。補強手段はリブのみ、或いは受枠内に充填される土砂或いはコンクリートのみで構成することもできる。
【００１８】
次に受枠１１ａ、１１ｂの段１１ｄ、１１ｅ間にグレーチング１６を取付ける。このグレーチング１６はコンクリート製或いはその他の溝蓋に変えてもよく、取付けは受枠の段１１ｄ、１１ｅに単に載置するだけでもよいし、図示するようにボルトやナットよりなる止着具１９により取付けてもよい。グレーチング１６はまた、前述の土砂を埋め戻したり、或いはコンクリートを充填するのに先立って横断溝に取付けておいてもよい。
【００１９】
本実施形態の横断溝によると、横断溝１２はどのような道路勾配の道路に対しても受枠１１ａ、１１ｂを変えるだけで共通使用でき、下地の基礎１７を常法のように水平ないしほぼ水平に施工して道路勾配に対応した勾配を設ける必要がないため、下地の基礎の施工が容易であり、横断溝にプレキャスト製の横断溝１２を用いることを相俟って横断溝の施工が容易となって短時間で行え、林道その他横断溝を応急的に或いは簡易に設置するのに好適であること、受枠１１ａ、１１ｂは鋼製で、リブ１５を有する以外、内部が空洞であるため軽量化され、リブ１５と充填された土砂或いはコンクリートで自動車荷重に充分耐えられること、側壁天端は道路の上り側の天端が下り側の天端より高く形成されているため、上り側の受枠１１ｂを小型軽量化することができ、必要な強度を容易に得ることができると共に、製作コストを低減できること、側壁天端は水平面をなすことから、従前と同様、横断面１２の製作や受枠１１ａ、１１ｂの取付けが容易に行えること等の効果を有する。
【符号の説明】
【００２０】
１１ａ、１１ｂ・・受枠
１２・・横断溝
１２ａ、１２ｂ・・側壁
１５・・リブ
１６・・グレーチング
１８・・土砂
【図１】
2015055142.tif 000003
【図２】
2015055142.tif 000004
【図３】
2015055142.tif 000005
【図４】
2015055142.tif 000006
【図５】
2015055142.tif 000007